(57)【要約】【課題】プラズマディスプレイパネルの表示パネルの容量バラツキによって各電極に印加する電圧波形の立ち上がりおよび立ち下がりの位相が変化し、各電極の電位が所定の電位になるタイミングがずれる。【解決手段】走査パルスＰｓｃｎと書き込みパルスＰｗとの位相差を検出し、所定の値、または、所定の範囲以内になるように走査パルスＰｓｃｎと書き込みパルスＰｗの立ち上がりまたは立ち下がりの少なくとも一つのタイミングを変化させることにより、パネル毎に電極負荷のバラツキ等で書き込みパルスＰｗと走査パルスＰｓｃｎのタイミングにずれが生じてもこれを吸収して、書き込みパルスＰｗと走査パルスＰｓｃｎの位相関係や印加電圧時間を確保して、他の画素にまたがって生じる誤放電を抑えるとともに書き込み放電を行う期間を確保することができる。【選択図】　図１
2004045705.tif 000002
【特許請求の範囲】
【請求項１】
複数の走査電極とこの走査電極に交差する複数の書き込み電極との交差する部分に表示セルを有し、前記走査電極に走査パルスを印加するとともに前記書き込み電極に書き込みパルスを印加することによって前記表示セルの選択を行うプラズマディスプレイの駆動方法において、
前記走査パルスの立ち下がりの第１のエッジ部と、前記走査パルスの立ち上がりの第２のエッジ部と、前記書き込みパルスが正方向パルスである場合には立ち上がりで前記書き込みパルスが負方向パルスの場合には立ち下がりである第３のエッジ部と、前記書き込みパルスが正方向パルスである場合には立ち下がりで前記書き込みパルスが負方向パルスである場合には立ち上がりである第４のエッジ部のそれぞれの位相を検出するステップと、
前記第３のエッジ部から前記第１のエッジ部までの位相差と前記第４のエッジ部から前記第２のエッジ部までの位相差がそれぞれ所定の値または所定の範囲以内になるように、前記第１のエッジ部または前記第３のエッジ部および前記第２のエッジ部または前記第４のエッジ部のエッジタイミングを変えて位相差を変化させるステップとを有するプラズマディスプレイの駆動方法。
【請求項２】
前記走査電極が複数の走査電極群に分割されたものである請求項１に記載のプラズマディスプレイの駆動方法。
【請求項３】
前記書き込み電極が複数の書き込み電極群に分割されたものである請求項１に記載のプラズマディスプレイの駆動方法。
【請求項４】
走査パルスの立ち上がりと立ち下がりの位相を検出する走査パルスエッジ検出部と、
書き込みパルスの立ち上がりと立ち下がりの位相を検出する書き込みパルスエッジ検出部と、
前記走査パルスエッジ検出部と前記書き込みパルスエッジ検出部からの信号から前記走査パルスと前記書き込みパルスの位相差を検出し、前記走査パルスと前記書き込みパルスの位相差が所定の値または所定の値の範囲内になるように前記走査パルスと前記書き込みパルスの立ち上がりまたは立ち下がりのエッジタイミングに対する遅延量を決定する走査パルス位相調節部と書き込みパルス位相調節部と、
前記遅延量に応じて前記走査パルスの立ち上がりまたは立ち下がりのエッジタイミングを制御する信号を遅延させる走査エッジタイミング遅延部と、
前記遅延量に応じて前記書き込みパルスの立ち上がりまたは立ち下がりのエッジタイミングを制御する信号を遅延させる書き込みエッジタイミング遅延部とを有するプラズマディスプレイの駆動装置。
【請求項５】
前記書き込みパルスエッジ検出部は、前記書き込みパルスの立ち上がりまたは立ち下がりを制御する信号から前記書き込みパルスの立ち上がりまたは立ち下がりの位相を検出するものであることを特徴とする請求項４に記載のプラズマディスプレイの駆動装置。
【請求項６】
前記走査パルスエッジ検出部は、前記走査パルスの立ち上がりまたは立ち下がりを制御する信号から前記走査パルスの立ち上がりまたは立ち下がりの位相を検出するものであることを特徴とする請求項４に記載のプラズマディスプレイの駆動装置。
【請求項７】
前記走査電極が複数の走査電極群に分割されたものである請求項４に記載のプラズマディスプレイの駆動装置。
【請求項８】
前記書き込み電極が複数の書き込み電極群に分割されたものである請求項４に記載のプラズマディスプレイの駆動装置。
【発明の詳細な説明】
【０００１】
【発明の属する技術分野】
本発明は、面放電ＡＣ型のプラズマディスプレイの駆動方法および駆動装置に関する。
【０００２】
【従来の技術】
まず、図６を参照して面放電ＡＣ型プラズマディスプレイパネルの構造を説明する。
【０００３】
一般に、マトリックス表示方式の面放電ＡＣ型プラズマディスプレイパネルにおいて、放電空間２９を介して対向する一対のガラス基板２１、２７の一方のガラス基板２１には走査電極１２および維持電極１３が配置されている。これらの電極は誘電体層２２によって被膜され、この誘電体層２２の表面に酸化マグネシウムからなる保護膜２３が設けられている。他方のガラス基板２７の内面上には、放電空間２９と、表示セルである発光領域を選択的に発光させるための書き込み電極１１が配置され、誘電体層２６によって被膜されている。その誘電体層２６の表面には隔壁２８と蛍光体２４が設けられている。
【０００４】
図４は、従来のプラズマディスプレイを駆動するときに各電極に印加する電圧波形を示す。ただし、走査電極１２の印加パルス電圧波形については、順次走査パルスＰｓｃｎが印加される電極の中のｎ−１番目およびｎ番目の電極に印加される電圧波形を示し、また、書き込み電極１１の印加パルス電圧波形については、複数本の書き込み電極１１の中の任意の電極に印加される電圧波形を示した。
【０００５】
表示に際しては、図４中の書き込み期間において各走査電極１２に順次走査パルスＰｓｃｎを印加させるとともに、表示パターンに応じて選択した書き込み電極１１に書き込みパルスＰｗを印加させて、書き込み放電を行う。この放電が生じると、印加電圧とは逆極性の電荷が走査電極１２と維持電極１３上の保護膜２３に蓄積する。続いて、維持期間において、走査電極１２と維持電極１３に対して交互に維持パルスＰｓｕｓが印加される。
【０００６】
これにより、書き込み放電が生じた表示セルである発光領域のみにおいて、蓄積された電荷による電圧と維持パルスＰｓｕｓによる電圧の和が放電空間２９内の気体に印加されて放電が生じる。このときに発生した紫外線によって蛍光体２４が励起されて発光する。
【０００７】
次に、以上の方法により駆動される従来のプラズマディスプレイ装置の全体構成を図５に示す。
【０００８】
映像信号処理部１８が、書き込みパルス発生部１４に表示パターンに応じた書き込みパルスＰｗが出力されるように制御する。また、入力信号が同期信号分離部１９にも入力され、入力信号に含まれる同期信号を同期信号分離部１９が分離して、その信号が駆動タイミングパルス発生部２０に出力される。この出力信号に応じて駆動タイミングパルス発生部２０が、所定のタイミングで所定のパルス列が出力されるように書き込みパルス発生部１４、走査パルス発生部１５および維持パルス発生部１６、１７を制御する。
【０００９】
書き込みパルス発生部１４が、書き込みパルスＰｗを出力し、その出力が書き込み電極１１に印加される。また、維持パルス発生部１６、１７は、走査パルス発生部１５または維持電極１３に接続され、維持パルスＰｓｕｓを出力する。また、走査パルス発生部１５では維持パルス発生部１６の出力に重畳して走査パルスＰｓｃｎを出力する。書き込みパルス発生部１４および走査パルス発生部１５から出力される書き込みパルスＰｗおよび走査パルスＰｓｃｎの立ち上がりおよび立ち下がりは、駆動タイミングパルス発生部２０からの信号によって制御される。
【００１０】
プラズマディスプレイパネルの駆動においては、近年の高精細化に伴い走査ライン数および表示セル数の増加が著しい。
【００１１】
しかし、書き込み期間は走査ライン数に比例して増大し、その反面、維持期間に割り当てる時間が減少するため、輝度が得られなくなる。この書き込み期間の増大を抑える手段の一つとして走査電極１２に順次印加される走査パルスＰｓｃｎを時間的に重ねる方法が特開２００１−５１６４９号公報に示されている。
【００１２】
また、同様にプラズマディスプレイパネルの高精細化によって表示セルが増加し、それに伴って書き込み放電による電流が増大する。この電流を抑える方法の一つとして、書き込みパルスＰｗの位相を相互にずらして書き込み放電時に発生する電流を時間的に分散させる方法が特開平８−３０５３１９号公報に示されている。
【００１３】
これらの方法では、書き込みパルスＰｗおよび走査パルスＰｓｃｎの位相を高精度で制御しなければ点灯不良が生ずることおよび誤点灯するといった課題がある。
【００１４】
【発明が解決しようとする課題】
プラズマディスプレイパネルは、ガラス基板を主に厚膜プロセスを用いて加工製造される。この製造プロセスの焼成工程により、ガラス基板が部分的に変形したり、全長が膨張または収縮して隔壁、書き込み電極、走査電極および維持電極の位置にずれが生じることがある。また、プラズマディスプレイパネルは面積が大きいため、表示パネル面内で誘電体層の膜厚のバラツキが大きくなることがある。これにより各電極負荷が変化する。
【００１５】
一方、プラズマディスプレイパネルを駆動する回路の出力インピーダンスは零ではないため、各電極に印加する電圧波形の立ち上がりおよび立ち下がりが時定数を持つために、各電極の電位が所定の電位になるタイミングがずれる。
【００１６】
書き込みパルスＰｗの立ち上がりが、走査パルスＰｓｃｎの立ち下がりより所定のタイミングより遅い場合、書き込みパルスＰｗと走査パルスＰｓｃｎが同時に印加される期間が短くなり、十分な書き込み放電が行われずに点灯不良が発生することがある。
【００１７】
この例として、特開平８−３０５３１９号公報の駆動方法での書き込み放電では、書き込みパルスＰｗの立ち上がりが走査パルスＰｓｃｎの立ち下がりより遅いために、書き込み放電が生じるタイミングにおいては走査パルスＰｓｃｎの立ち下がりのタイミングが支配的になり、書き込み放電時の電流が一定期間に集中する場合がある。
【００１８】
一方、書き込みパルスＰｗの立ち上がりが、走査パルスＰｓｃｎの立ち下がりより所定のタイミングより早い場合、特開２００１−５１６４９号公報の駆動方法では、走査パルスＰｓｃｎを時間的に重ねているために、走査パルスが十分に印加されないときに、書き込みパルスＰｗが印加されるために不要な放電が生じ、点灯不良が生じる可能性がある。
【００１９】
つまり、前述したように、各電極負荷のバラツキで生ずる各電極に印加される書き込みパルスＰｗと走査パルスＰｓｃｎの立ち上がりおよび立ち下がりのずれによって誤放電が生じる可能性がある。
【００２０】
【課題を解決するための手段】
上記の課題を解決するために、請求項１記載の発明は、複数の走査電極とこの走査電極に交差する複数の書き込み電極との交差する部分に表示セルを有し、走査電極に走査パルスを印加するとともに書き込み電極に書き込みパルスを印加することによって表示セルの選択を行うプラズマディスプレイの駆動方法において、走査パルスの立ち下がりの第１のエッジ部と、走査パルスの立ち上がりの第２のエッジ部と、書き込みパルスが正方向パルスである場合には立ち上がりで書き込みパルスが負方向パルスの場合には立ち下がりである第３のエッジ部と、書き込みパルスが正方向パルスである場合には立ち下がりで書き込みパルスが負方向パルスである場合には立ち上がりである第４のエッジ部のそれぞれの位相を検出するステップと、第３のエッジ部から第１のエッジ部までの位相差と第４のエッジ部から第２のエッジ部までの位相差がそれぞれ所定の値または所定の範囲以内になるように、第１のエッジ部または第３のエッジ部および第２のエッジ部または第４のエッジ部のエッジタイミングを変えて位相差を変化させるステップとを有するプラズマディスプレイの駆動方法を提供するものである。
【００２１】
さらに、請求項２記載の発明によれば、走査電極が複数の走査電極群に分割されたものであるプラズマディスプレイの駆動方法を提供できる。
【００２２】
さらに、請求項３記載の発明によれば、書き込み電極が複数の書き込み電極群に分割されたものであるプラズマディスプレイの駆動方法を提供できる。
【００２３】
また、請求項４記載の発明によれば、走査パルスの立ち上がりと立ち下がりの位相を検出する走査パルスエッジ検出部と、書き込みパルスの立ち上がりと立ち下がりの位相を検出する書き込みパルスエッジ検出部と、走査パルスエッジ検出部と書き込みパルスエッジ検出部からの信号から走査パルスと書き込みパルスの位相差を検出し、走査パルスと書き込みパルスの位相差が所定の値または所定の値の範囲内になるように走査パルスと書き込みパルスの立ち上がりまたは立ち下がりのエッジタイミングに対する遅延量を決定する走査パルス位相調節部と書き込みパルス位相調節部と、遅延量に応じて走査パルスの立ち上がりまたは立ち下がりのエッジタイミングを制御する信号を遅延させる走査エッジタイミング遅延部と、遅延量に応じて書き込みパルスの立ち上がりまたは立ち下がりのエッジタイミングを制御する信号を遅延させる書き込みエッジタイミング遅延部とを有するプラズマディスプレイの駆動装置を提供できる。
【００２４】
さらに、請求項５記載の発明によれば、書き込みパルスエッジ検出部は、書き込みパルスの立ち上がりまたは立ち下がりを制御する信号から書き込みパルスの立ち上がりまたは立ち下がりの位相を検出するものであることを特徴とするプラズマディスプレイの駆動装置を提供できる。
【００２５】
さらに、請求項６記載の発明によれば、走査パルスエッジ検出部は、走査パルスの立ち上がりまたは立ち下がりを制御する信号から走査パルスの立ち上がりまたは立ち下がりの位相を検出するものであることを特徴とするプラズマディスプレイの駆動装置を提供できる。
【００２６】
さらに、請求項７記載の発明によれば、走査電極が複数の走査電極群に分割されたものであるプラズマディスプレイの駆動装置を提供できる。
【００２７】
さらに、請求項８記載の発明によれば、書き込み電極が複数の書き込み電極群に分割されたものであるプラズマディスプレイの駆動装置を提供できる。
【００２８】
これらの請求項１から請求項８記載の発明により、パネル毎に電極負荷のバラツキ等で書き込みパルスと走査パルスのタイミングにずれが生じてもこれを吸収して、書き込みパルスと走査パルスの位相関係や印加電圧時間を確保して、他の画素にまたがって生じる誤放電を抑えるとともに書き込み放電を行う位相差を確保することができる。
【００２９】
【発明の実施の形態】
以下、本発明の実施の形態について、図１〜図３を用いて説明する。
【００３０】
なお、図４〜図６と同一の構成については同じ符号を付して説明する。
【００３１】
（実施の形態１）
本発明の実施の形態１におけるプラズマディスプレイの駆動方法の各電極に印加される電圧波形を図１に示す。
【００３２】
図１は、従来の各電極の電圧波形を示す図４とほぼ同様であるが、書き込みパルスＰｗが正方向パルスである場合、書き込みパルスＰｗの立ち上がりである第３のエッジ部から走査パルスの立ち下がりである第１のエッジ部までの位相差を位相差１とし、書き込みパルスＰｗの立ち下がりである第４のエッジ部から走査パルスの立ち上がりである第２のエッジ部までの位相差を位相差２とする。
【００３３】
このとき、書き込みパルスＰｗが正方向パルスとは、パルスが正極性や負極性の場合でも正方向に電位が変化するパルスである。
【００３４】
次に、本発明の実施の形態１におけるプラズマディスプレイの駆動装置の全体の回路構成を図２に示す。
【００３５】
映像信号処理部１８が、書き込みパルス発生部１４を表示パターンに応じた書き込みパルスＰｗが出力されるように制御する。また、入力信号が同期信号分離部１９にも入力され、入力信号に含まれる同期信号を分離して駆動タイミングパルス発生部２０へ出力する。この信号にしたがって、駆動タイミングパルス発生部２０では所定のタイミングで所定のパルス列が出力されるように書き込みパルス発生部１４、走査パルス発生部１５および維持パルス発生部１６、１７を制御する。書き込みパルス発生部１４が書き込み電極１１に接続され、書き込みパルスＰｗが出力される。また、維持パルス発生部１６、１７が、走査パルス発生部１５または維持電極１３に接続され、維持パルスＰｓｕｓが出力される。また、走査パルス発生部１５が、維持パルス発生部１６の出力に重畳して走査パルスＰｓｃｎを出力する。
【００３６】
従来の構成図である図５と相違点は、書き込みパルスＰｗと走査パルスＰｓｃｎの各々の立ち上がりおよび立ち下がりを検出して、それらの位相差が所定の値である走査パルス電圧が印加され、かつ誤放電が生じず書き込み放電が確実に行われる位相差もしくは所定の値の範囲内になるように調節できる検出制御手段を持つ点である。
【００３７】
まず、走査パルスエッジ検出部３では、走査パルスＰｓｃｎの立ち上がりである第２のエッジ部および立ち下がりである第１のエッジ部を検出し、そのタイミングに応じて、走査パルス位相調節部と維持パルス位相調節部を有する位相調節部５の入力端へ信号を出力する。
【００３８】
また、同様に、書き込みパルスエッジ検出部４では書き込みパルスＰｗの立ち上がりである第３のエッジ部および立ち下がりである第４のエッジ部を検出し、そのタイミングに応じて位相調節部５の入力端へ信号を出力する。
【００３９】
この位相調節部５では、走査パルスエッジ検出部３および書き込みパルスエッジ検出部４からの信号から図１中の位相差１および位相差２の値を算出し、これらの位相差１、２が所定の値と同じ値もしくは所定の値の範囲内になるように走査パルスＰｓｃｎおよび書き込みパルスＰｗの第１から第４のエッジ部に対する遅延量を決定する。
【００４０】
走査パルスエッジタイミング遅延部７および書き込みパルスエッジタイミング遅延部８では位相調節部５で決定した遅延量に応じて、書き込みパルス発生部１４および走査パルス発生部１５の立ち上がりまたは立ち下がりのタイミングを制御する信号を遅延させる。これらの信号に応じて、書き込みパルス発生部１４および走査パルス発生部１５ではそれぞれの出力端から書き込みパルスＰｗおよび走査パルスＰｓｃｎを出力する。
【００４１】
本発明のプラズマディスプレイの駆動方法および駆動装置を用いることで、書き込みパルスＰｗおよび走査パルスＰｓｃｎの位相をそれぞれ所定のもしくは所定の値の範囲内になるように調節することができる。これにより、パネル毎のバラツキ等が大きい場合でも位相差１および位相差２を所定の値もしくは所定の範囲内にすることができるため、他の画素にまたがって生じる誤放電を抑えるとともに書き込み放電を行う期間を確保することができる。
【００４２】
なお、走査パルスエッジ検出部３および書き込みパルスエッジ検出部４はプラズマディスプレイパネルの表示部内の電極に印加されるパルスを検出する必要はなく、検出する電極の負荷が表示部内の電極と同等の負荷であれば同様の効果が得られる。
【００４３】
また、本発明の実施の形態１では、書き込みパルスＰｗおよび走査パルスＰｓｃｎの双方の立ち上がりおよび立ち下がりを調節することができる駆動装置について述べたが、書き込みパルスＰｗおよび走査パルスＰｓｃｎの一方の立ち上がりおよび立ち下がりを調節することで同様な効果が得られる上に、回路構成を簡略にすることができる。また、各パルスの立ち上がりもしくは立ち下がりの一方を調節することでも同様である。
【００４４】
さらに、本発明の実施の形態１では、書き込みパルスエッジ検出部４において、書き込みパルスＰｗの立ち上がりおよび立ち下がりを検出して位相調節ができる駆動装置について述べたが、書き込みパルス発生部１４で使用される素子のバラツキや温度特性による変化等が少ない場合は、書き込みパルス発生部１４に入力され、書き込みパルスＰｗの立ち上がりおよび立ち下がりを制御する信号を検出することで同様な効果が得られる上に、回路構成を簡略にすることができる。
【００４５】
なお、本発明の実施の形態１では、書き込みパルスＰｗは正方向パルスである場合には立ち上がりが第３のエッジ部で、立ち下がりが第４のエッジ部と説明したが、書き込みパルスが負方向パルスの場合には立ち下がりが第３のエッジ部で、立ち上がりが第４のエッジ部であっても同様な効果が得られる。
【００４６】
このとき、書き込みパルスＰｗが負方向パルスとは、パルスが正極性や負極性の場合でも負方向に電位が変化するパルスである。
【００４７】
（実施の形態２）
本発明では、走査電極または書き込み電極が複数の領域群に分割して駆動する際に、各領域群毎にそれぞれ走査パルスと書き込みパルスとの位相差を検出し、所定の値である走査パルス電圧が印加され、かつ誤放電が生じず書き込み放電が確実に行われる位相差、または、その所定の範囲以内になるように走査パルスと書き込みパルスの立ち上がり、または、立ち下がりの少なくとも一つのタイミングを変化させることを特徴とする。これにより各電極の負荷がパネル内でばらついた場合でも、他の画素にまたがって生じる誤放電を抑えるとともに書き込み放電を行う期間を確保することを目的とする。
【００４８】
本発明の実施の形態２のプラズマディスプレイの駆動装置は、書き込み電極１１を複数に分割した場合の回路構成であり、その全体構成を図３に示す。
【００４９】
実施の形態１の構成と相違点は、各領域群ａ、ｂの書き込みパルスＰｗと走査パルスＰｓｃｎの各々の立ち上がりおよび立ち下がりを検出して、各領域群ａ、ｂ毎にそれらの位相差が所定の値もしくは所定の値の範囲内になるように、各領域群ａ、ｂ毎に書き込みパルスＰｗの立ち上がりおよび立ち下がりを調節できる検出制御手段を持つ点である。
【００５０】
まず、走査パルスエッジ検出部３では、走査パルスＰｓｃｎの立ち上がりおよび立ち下がりを検出し、そのタイミングに応じて、走査パルス位相調節部と維持パルス位相調節部を有する位相調節部５の入力端へ信号を出力する。
【００５１】
一方、領域群ａの書き込みパルスエッジ検出部４ａでは、領域群ａの書き込みパルス発生部１４ａから出力される書き込みパルスＰｗの立ち上がりおよび立ち下がりを検出し、そのタイミングに応じて領域群ａの位相調節部５ａの入力端へ信号を出力する。また、同様に、領域群ｂの書き込みパルスエッジ検出部４ｂでは、領域群ｂの書き込みパルスＰｗの立ち上がりおよび立ち下がりを検出し、そのタイミングに応じて領域群ｂの位相調節部５ｂの入力端へ信号を出力する。各領域群ａ、ｂの位相調節部５ａ、５ｂでは走査パルスエッジ検出部３からの信号を基準に各領域群毎の位相差１および位相差２の値を算出し、これらの位相差が所定の値と同じ値もしくは所定の値の範囲内になるように書き込みパルスの第３と第４のエッジ部に対する遅延量を決定し、書き込みパルス発生部１４ａ、１４ｂへの制御信号のタイミングを調節する。各領域群ａ、ｂの書き込みパルス発生部１４ａ、１４ｂでは、それぞれ各領域群ａ、ｂの位相調節部５ａ、５ｂからの制御信号に応じて、それぞれの出力端から書き込みパルスＰｗを出力する。本発明の実施の形態２のプラズマディスプレイの駆動方法および駆動装置を用いることで、領域群毎に書き込みパルスＰｗの位相をそれぞれ所定のもしくは所定の値の範囲内になるように調節することができる。
【００５２】
これにより、パネルを複数の領域群に分割して駆動する場合でも位相差１および位相差２を所定の値もしくは所定の範囲内にすることができるため、各電極の負荷がパネル内でばらついた場合でも、他の画素にまたがって生じる誤放電を抑えるとともに書き込み放電を行う期間を確保することができる。
【００５３】
なお、実施の形態２では、書き込み電極１１を複数の群に分割した場合について述べたが、走査電極１２を複数の群に分割した場合では、書き込みパルスＰｗを基準に各領域毎の走査パルスＰｓｃｎの位相差を検出できるように走査パルスエッジ検出部３および位相調節部５を複数の領域群毎に構成することによって同様な効果を得ることができる。
【００５４】
【発明の効果】
本発明によって、各電極の負荷がパネル内でばらついた場合でも、他の画素にまたがって生じる誤放電を抑えるとともに書き込み放電を行う期間を確保することができる。
【図面の簡単な説明】
【図１】本発明の実施の形態１におけるプラズマディスプレイの駆動方法の各電極に印加される電圧波形図
【図２】本発明の実施の形態１におけるプラズマディスプレイの駆動装置の全体の回路構成を示す図
【図３】本発明の実施の形態２におけるプラズマディスプレイの駆動装置の全体の回路構成を示す図
【図４】従来のプラズマディスプレイの駆動方法における各電極に印加される電圧波形図
【図５】従来のプラズマディスプレイ装置の全体の回路構成を示す図
【図６】一般的な面放電ＡＣ型プラズマディスプレイパネルのセル構造の概略図
【符号の説明】
１　（書き込みパルスＰｗの立ち上がりから走査パルスＰｓｃｎの立下がりまでの）位相差
２　（書き込みパルスＰｗの立ち下がりから走査パルスＰｓｃｎの立上がりまでの）位相差
Ｐｓｃｎ　走査パルス
Ｐｓｕｓ　維持パルス
Ｐｗ　書き込みパルス
【図１】
2004045705.tif 000003
【図２】
2004045705.tif 000004
【図３】
2004045705.tif 000005
【図４】
2004045705.tif 000006
【図５】
2004045705.tif 000007
【図６】
2004045705.tif 000008